(57)【特許請求の範囲】
【請求項１】
バスケット内に投入された洗濯後の衣類等の洗濯物を、上下動するプレス板に取り付けられて液体が封入された加圧体による圧搾で水分を脱水する脱水機において、前記プレス板の外周側に嵌め込まれた前記加圧体をプレス板との間に固定するリングの外周側で、かつ、前記プレス板の外周部または前記リングの外周部と前記バスケットの内周部との接触による接触面の傷付き防止のために前記リングまたはプレス板の外周側溝に嵌め込まれたガイドリングの下方で、前記加圧体との境界部に接近した位置に構成した前記リングの外周側溝に、前記加圧体の前記リングとの境界部の肩が前記加圧体による加圧時に前記リングと前記バスケットとの環状隙間に食い込むのを抑えるバックアップリングを設けたことを特徴とする脱水機。
【請求項２】
請求項１に記載する脱水機において、前記リングまたはプレス板に前記ガイドリングを設けないで、前記バックアップリングを前記ガイドリングが設けてあった箇所まで上方に延長して前記ガイドリングの機能も兼ねた広幅のバックアップリングとしたことを特徴とする脱水機。
【発明の詳細な説明】
【技術分野】
【０００１】
本発明は、洗濯後の衣類やリネン等の水分を含む洗濯物をバスケット内に投入し、その洗濯物を油圧シリンダのピストン棒先端に取り付けた加圧体で、上方から圧搾して脱水する洗濯物の圧搾式脱水機に関する。
【背景技術】
【０００２】
従来の圧搾式脱水機に適用された技術については、特許文献１に開示されているように、圧搾手段として水圧または油圧シリンダを有し、前記油圧シリンダのピストン棒の端部には周上にガイドリングを嵌め込んだ円形プレス板を固着し、前記プレス板には液体を封入したメンブレンまたは弾性体等の加圧体を取り付け、下方には、搬送用メッシュベルトで上・下面を取り囲まれた多数の排水孔を備えた格子状デッキと、前記プレス板と同心で昇降可能に吊り下げられ、その下降端位置においては前記搬送用メッシュベルト上に載置されて洗濯物を収容し、上昇端位置においては脱水された洗濯物（ケーキ）を下流工程へ移動可能にする底のないバスケットを配設した構成が公知である。
また、特許文献１では、プレス板の側面の溝にガイドリングを複数個嵌め込んで、プレス板外面とバスケット内面との接触による接触面の傷付き、剥離、融着を防止する効果を高める提案がなされている。
【０００３】
特許文献２は、特許文献１とは細部構造が異なっているが、ダイヤフラム（加圧体）をピストン体（プレス板）へ取り付けるに際して、ダイヤフラムと一体になった固定用隆起部を締め付けリングで締め付ける構造として、締め付けリングの外径は充てん枠（バスケット）の内寸法に比して（ｘ）（特許文献２の図中の記号を括弧書きで表示する。以下本段落において同じ。）だけ小さいが、充てん枠に対する自由状態のダイヤフラムのカラー部の減寸法（ｕ）に対して大きくすることが効果的としている。さらに、プレス時（加圧時）にピストン体とダイヤフラムの間の中間室内に水が圧送されるとダイヤフラムはピストン体と充てん枠との間の環状隙間を上方に対してシール状態になるようにしている。
【特許文献１】実開昭６２−１８９０８７号公報（第５図）
【特許文献２】特開昭６１−２４７５００号公報（第１１〜１３図）
【発明の開示】
【発明が解決しようとする課題】
【０００４】
特許文献１によれば、ガイドリングのプレス板への取り付け箇所が加圧体の取付け部境界より上方へ離れているために、弾性体である加圧体の肩部が高圧による加圧時にプレス板とバスケットとの環状隙間に食い込むことを防止できない。この食い込みによる変形のため加圧体の寿命が短いという虞があり、加圧体の寿命を長くするという課題があった。
【０００５】
特許文献２でも、ダイヤフラムの固定用隆起部の根元がプレス時に締め付けリングと充てん枠との環状隙間に食い込むことを防止できず、この食い込みによる変形のためダイヤフラムの寿命が短いという虞があり、ダイヤフラムの寿命を長くするという課題があった。
【課題を解決するための手段】
【０００６】
前記の課題に対し、本発明は以下の手段により解決を図る。
（１）第１の手段の脱水機は、バスケット内に投入された洗濯後の衣類等の洗濯物を、上下動するプレス板に取り付けられて液体が封入された加圧体による圧搾で水分を脱水する脱水機において、前記プレス板の外周側に嵌め込まれた前記加圧体をプレス板との間に固定するリングの外周側で、かつ、前記プレス板の外周部または前記リングの外周部と前記バスケットの内周部との接触による接触面の傷付き防止のために前記リングまたはプレス板の外周側溝に嵌め込まれたガイドリングの下方で、前記加圧体との境界部に接近した位置に構成した前記リングの外周側溝にバックアップリングを嵌め込み、前記加圧体の前記リングとの境界部の肩が前記加圧体による加圧時に前記リングと前記バスケットとの環状隙間に食い込むのを抑えることを特徴とする。
（２）第２の手段の脱水機は、前記第１の手段の脱水機において、前記リングまたはプレス板に前記ガイドリングを設けないで、前記バックアップリングを前記ガイドリングが設けてあった箇所まで上方に延長して前記ガイドリングの機能も兼ねた広幅のバックアップリングとしたことを特徴とする。
【発明の効果】
【０００７】
請求項１に係わる発明は、前記プレス板の外周側に嵌め込まれた前記加圧体をプレス板との間に固定するリングの外周側で、かつ、前記プレス板の外周部または前記リングの外周部と前記バスケットの内周部との接触による接触面の傷付き防止のために前記リングまたはプレス板の外周側溝に嵌め込まれたガイドリングの下方で、前記加圧体との境界部に接近した位置に構成した前記リングの外周側溝にバックアップリングを設けたので、前記加圧体の前記リングとの境界部の肩が前記加圧体による加圧時に前記リングと前記バスケットとの環状隙間に食い込むことを抑える効果を有し、加圧体による加圧が高圧であればある程その効果は大きい。
また、請求項２に係わる発明は、上記効果に加えて、前記リングまたはプレス板に前記ガイドリングを設けないで、前記バックアップリングを前記ガイドリングが設けてあった箇所まで上方に延長して前記ガイドリングの機能も兼ねた広幅のバックアップリングとしたので、上記加圧体肩部の環状隙間への食い込み抑止機能に加えて、広幅によりガイドリング機能としての寿命を大幅に増大させる効果を有する。
【発明を実施するための最良の形態】
【０００８】
以下、この発明の実施の形態につき図面を参照しつつ詳細に説明する。なお、この実施の形態によりこの発明が限定されるものではない。また、下記実施の形態における構成要素には、当事者が容易に想定できるもの、あるいは、実質的に同一のものが含まれる。
【０００９】
（第１の実施の形態）
本発明の第１の実施の形態を図１および図２によって説明する。図１は、本発明を適用した脱水機の圧搾前の状態を示す側面断面図である。図２は、図１のＡ部拡大断面図で、本発明の第１の実施の形態に係わる脱水機のバックアップリングの構造を示す図である。
【００１０】
図１において、３５は下部架台で、床面に据付けられている。３６は上部架台で、下部架台３５と複数個配設されたピラー３７で固着されている。３８は下部架台３５に固着された格子状部材としてのデッキ、３９はデッキ３８に固着された多孔板であるデッキプレート、４０は通水可能な多孔状または網目状の搬送用広幅のメッシュベルト、４１はメッシュベルト４０を駆動するロールである。
【００１１】
また、４２は下半分が多孔板で円筒状に形成されて排水性を有し、図示しない昇降装置により昇降するバスケット、４３はバスケット４２の上部に形成された開口部である洗濯物の投入口、４４はバスケット４２に固着されてピラー３７に係合するガイド、４７は上部架台３６に固着された油圧シリンダ、４８は油圧シリンダ４７用のオイルタンクと油圧回路よりなる油圧装置、４９は油圧装置４８用の油圧ポンプ、５０は同ポンプ４９用の駆動モータ、５１は油圧シリンダ４７用のピストン棒をそれぞれ図示する。
【００１２】
また、５２はプレス板であり、ピストン棒５１に固着されている。５３はプレス板５２と開口部を密着して水を封入する弾性膜である加圧体、５４はプレス板５２に装着された給水口、５５はプレス板５２に装着された空気抜口、５６はプレス板５２と加圧体５３の間に封入された水等の液体である。
さらに、５８は脱水工程に前配置された連続式水洗機、５９は脱水工程に後配置されて矢印Ｂ方向の乾燥機等へ連結する排出用コンベヤ、６０は脱水しようとする衣類等またはその集合体である洗濯物である。
【００１３】
図２において、６５は加圧体５３をプレス板５２に取り付ける金属製のリングで、図示のように凹部６５Ａで加圧体５３の上端部の凸部５３Ｂを引っ掛ける構造となっており、複数のボルト６９で加圧体５３をプレス板５２に固定するようになっている。なお、プレス板５２とリング６５との取付け面は図示していないＯリング等で液密シールされている。５７はプレス板５２またはリング６５の外周面がバスケット４２の内周面に接触して接触面が傷付き、剥離、融着を受けないようにするための硬いポリウレタンゴム製等のガイドリングで、リング６５の外周側上部の上部環状溝６５Ｂに嵌め込まれている。
６６は、加圧時に加圧体５３の肩部５３Ａがリング６５の外周面とバスケット４２の内周面との環状隙間に食い込まないようにするための超高分子量ポリエチレン製等のバックアップリングで、図示のようにリング６５の外周側下部の下部環状溝６５Ｃに嵌め込まれている。
バックアップリング６６の外径は上記ガイドリング５７の外径とほぼ同じであり、バスケット４２の内径との環状隙間は１ｍｍ以下となるような構成となっている。
なお、本実施の形態では、ガイドリング５７を、リング６５の外周側溝に設けた場合を示したが、プレス板５２の外周側溝に設ける場合であってもよい。
【００１４】
次に本実施の形態に係わる脱水機の作用を説明する。
先ず、脱水機が図１に示す状態、即ちメッシュベルト４０が停止、バスケット４２が下降位置、ピストン棒５１が上昇位置の状態において、連続式水洗機５８からほぼ定量の洗濯物６０がバスケット４２内に投入される。この時、洗濯物６０に含まれる過剰な濯ぎ水は重力によって搾り出され、メッシュベルト４０、デッキプレート３９、並びにデッキ３８を通って排出水として流出する。
次いで、連続式水洗機５８からの投入完了信号を受けて、油圧装置４８が作動すると、油圧シリンダ４７によりピストン棒５１を下降させて、ピストン棒５１の先端に固着されたプレス板５２に取り付けられた加圧体５３が洗濯物６０を加圧する。
【００１５】
この時、加圧体５３内には封入された液体５６が入っているため、洗濯物６０はバスケット４２内に均一に投入されていれば、加圧体５３から均一な圧力を受けて均一な脱水が行われる。通常洗濯物６０はバスケット４２内に必ずしも均一には投入されていないことが多く、この場合、プレス板５２は加圧のための垂直方向の力に加えて、水平方向の分力を受けることになり、金属性のプレス板５２の外周面の一部が金属製のバスケット４２の内周面の一部と接触することがあるが、ポリウレタンゴム製等のガイドリング５７によりプレス板５２とバスケット４２の金属接触を避けることができる。
【００１６】
加圧体５３は弾性体であるために、高圧による加圧時に圧力が弱い箇所へ逃げようとする。特に加圧体５３の肩部５３Ａはリング６５の外周面下部とバスケット４２の内周面との環状隙間に食い込もうとするが、リング６５の外周部下部に設けられたバックアップリング６６により肩部５３Ａの前記環状隙間への食い込みを大幅に抑えられる。
バックアップリング６６の外周面とバスケット４２の内周面との環状隙間は、製作誤差を考慮して１ｍｍ以内としているが、小さい程望ましいことは勿論である。
【００１７】
（第２の実施の形態）
本発明の第２の実施の形態を図３によって説明する。図３は、本発明の第２の実施の形態に係わる脱水機のバックアップリング構造を示す拡大断面図で、図２に相当するものである。
【００１８】
図３において、６７は加圧体５３をプレス板５２に取り付ける金属製のリングで、図示のように凹部６７Ａで加圧体５３の上端部の凸部５３Ｂを引っ掛ける構造となっており、複数のボルト６９で加圧体５３をプレス板５２に固定するようになっている。なお、プレス板５２とリング６７との取付け面は図示していないＯリング等で液密シールされている。
６８は、加圧時に加圧体５３の肩部５３Ａがリング６７の外周面とバスケット４２の内周面との環状隙間に食い込まないようにするため、および、プレス板５２またはリング６７の外周面がバスケット４２の内周面に接触して接触面が傷付き、剥離、融着を受けないようにするための超高分子量ポリエチレン製等のバックアップリングで、図示のようにリング６７の外周側の上部箇所から下部箇所に亘る環状溝６７Ｂに嵌め込まれている。
バックアップリング６８の外径とバスケット４２の内径との環状隙間は１ｍｍ以下となるような構成となっている。
【００１９】
次に第２の実施の形態に係わる脱水機の作用を説明するが、第１の実施の形態での説明と重複するところは省略する。
プレス板５２が加圧の際に水平方向の分力を受ける時には、超高分子量ポチエチレン製等のバックアップリング６８によりプレス板５２とバスケット４２の金属接触を避けることができる。
さらに、高圧による加圧時に加圧体５３の肩部５３Ａはリング６７の外周面下部とバスケット４２の内周面との環状隙間に食い込もうとするが、リング６７の外周部に嵌め込まれたバックアップリング６８により肩部５３Ａの前記環状隙間への食い込みを大幅に抑えられる。
つまり、バックアップリング６８は、従来のガイドリング機能と、加圧体５３の肩部５３Ａが加圧時にリング６７とバスケット４２との環状隙間に食い込むことを抑える機能の両方を果たすことができ、さらに、広幅によりガイドリングとしての寿命を長くできる。
バックアップリング６８の外径とバスケット４２の内径との環状隙間は、製作誤差を考慮して１ｍｍ以内としているが、小さい程望ましいことは勿論である。
【図面の簡単な説明】
【００２０】
【図１】本発明の第１の実施の形態に係わる脱水機の圧搾前の状態を示す側面断面図である。
【図２】図１のＡ部拡大断面図で、本発明の第１の実施の形態に係わる脱水機のバックアップリング構造を示す図である。
【図３】本発明の第２の実施の形態に係わる脱水機のバックアップリング構造を示す拡大断面図で、図２に相当するものである。
【符号の説明】
【００２１】
４２…バスケット、
５１…ピストン棒、
５２…プレス板、
５３…加圧体、
５６…（封入）液体、
５７…ガイドリング、
６０…洗濯物、
６５，６７…リング、
６５Ｂ…上部環状溝、
６５Ｃ…下部環状溝、
６６，６８…バックアップリング、
６７Ｂ…環状溝
【図１】
0005139879.tif 000002
【図２】
0005139879.tif 000003
【図３】
0005139879.tif 000004